(57)【要約】【課題】フェードイン及びフェードアウト動作が可能なＬＥＤ表示装置の提供。【解決手段】ＰＷＭ制御ＩＣ１２は一定繰り返し周期のパルスを用いてＬＥＤＲ１３、ＬＥＤＧ１４、ＬＥＤＢ１５を駆動する。ＣＰＵ１１は、前記パルスのデューティ比を段階的に増加させた後一定時間最大デューティ比を保持させ、あるいは前記パルスのデューティ比を段階的に減少させた後一定時間最小デューティ比を保持させるようＰＷＭ制御ＩＣ１２を制御する。これにより、各ＬＥＤＲ１３、ＬＥＤＧ１４、ＬＥＤＢ１５は徐々に明るくなり、あるいは徐々に暗くなる。なお、これらのＬＥＤの制御は独立に行うことが可能である。【選択図】      図３
2004207411.tif 000002
【特許請求の範囲】
【請求項１】
一定繰り返し周期のパルスを用いてＬＥＤを駆動するＬＥＤ表示装置であって、
前記パルスのデューティ比を段階的に増加させた後一定時間最大デューティ比を保持させ、あるいは前記パルスのデューティ比を段階的に減少させた後一定時間最小デューティ比を保持させる輝度制御手段を含むことを特徴とするＬＥＤ表示装置。
【請求項２】
前記輝度制御手段は、前記パルスのデューティ比が一定時間ごとに１次関数で表される値を取るように制御することを特徴とする請求項１記載のＬＥＤ表示装置。
【請求項３】
前記輝度制御手段は、前記パルスのデューティ比が一定時間ごとに対数関数で表される値を取るように制御することを特徴とする請求項１記載のＬＥＤ表示装置。
【請求項４】
前記輝度制御手段は、前記パルスのデューティ比が一定時間ごとに２次関数で表される値を取るように制御することを特徴とする請求項１記載のＬＥＤ表示装置。
【請求項５】
前記輝度制御手段は、前記パルスのデューティ比を段階的に増加させた後一定時間最大デューティ比を保持させ、次に前記パルスのデューティ比を元に戻すという処理を繰り返し、
あるいは、前記パルスのデューティ比を段階的に減少させた後一定時間最小デューティ比を保持させ、次に前記パルスのデューティ比を元に戻すという処理を繰り返すことを特徴とする請求項１から４いずれかに記載のＬＥＤ表示装置。
【請求項６】
前記輝度制御手段は、前記パルスのデューティ比を一定時間間隔ごとに増加させる制御と、前記パルスのデューティ比を一定時間間隔ごとに減少させる制御とを任意の順序で繰り返して行うことを特徴とする請求項１から４いずれかに記載のＬＥＤ表示装置。
【請求項７】
前記ＬＥＤは異なる単色光を発光する複数のダイオードを組み合わせて構成され、その各々のダイオードに対し前記輝度の制御が行われることを特徴とする請求項１から６いずれかに記載のＬＥＤ表示装置。
【請求項８】
前記輝度制御手段はＰＷＭを用いて輝度を制御することを特徴とする請求項１から７いずれかに記載のＬＥＤ表示装置。
【請求項９】
携帯端末機あるいはその他の電気機器に用いられることを特徴とする請求項１から８いずれかに記載のＬＥＤ表示装置。
【請求項１０】
一定繰り返し周期のパルスを用いてＬＥＤを駆動するＬＥＤ表示装置に用いられるＬＥＤ点灯方法であって、
前記パルスのデューティ比を段階的に増加させた後一定時間最大デューティ比を保持させ、あるいは前記パルスのデューティ比を段階的に減少させた後一定時間最小デューティ比を保持させる輝度制御ステップを含むことを特徴とするＬＥＤ点灯方法。
【請求項１１】
前記輝度制御ステップは、前記パルスのデューティ比が一定時間ごとに１次関数で表される値を取るように制御することを特徴とする請求項１０記載のＬＥＤ点灯方法。
【請求項１２】
前記輝度制御ステップは、前記パルスのデューティ比が一定時間ごとに対数関数で表される値を取るように制御することを特徴とする請求項１０記載のＬＥＤ点灯方法。
【請求項１３】
前記輝度制御ステップは、前記パルスのデューティ比が一定時間ごとに２次関数で表される値を取るように制御することを特徴とする請求項１０記載のＬＥＤ点灯方法。
【請求項１４】
前記輝度制御ステップは、前記パルスのデューティ比を段階的に増加させた後一定時間最大デューティ比を保持させ、次に前記パルスのデューティ比を元に戻すという処理を繰り返し、
あるいは、前記パルスのデューティ比を段階的に減少させた後一定時間最小デューティ比を保持させ、次に前記パルスのデューティ比を元に戻すという処理を繰り返すことを特徴とする請求項１０から１３いずれかに記載のＬＥＤ点灯方法。
【請求項１５】
前記輝度制御ステップは、前記パルスのデューティ比を一定時間間隔ごとに増加させる制御と、前記パルスのデューティ比を一定時間間隔ごとに減少させる制御とを任意の順序で繰り返して行うことを特徴とする請求項１０から１３いずれかに記載のＬＥＤ点灯方法。
【請求項１６】
前記ＬＥＤは異なる単色光を発光する複数のダイオードを組み合わせて構成され、その各々のダイオードに対し前記輝度の制御が行われることを特徴とする請求項１０から１５いずれかに記載のＬＥＤ点灯方法。
【請求項１７】
前記輝度制御ステップはＰＷＭを用いて輝度を制御することを特徴とする請求項１０から１６いずれかに記載のＬＥＤ点灯方法。
【請求項１８】
携帯端末機あるいはその他の電気機器に用いられることを特徴とする請求項１０から１７いずれかに記載のＬＥＤ点灯方法。
【請求項１９】
一定繰り返し周期のパルスを用いてＬＥＤを駆動するＬＥＤ表示装置に用いられるＬＥＤ点灯方法をコンピュータに実行させるためのプログラムであって、
前記パルスのデューティ比を段階的に増加させた後一定時間最大デューティ比を保持させ、あるいは前記パルスのデューティ比を段階的に減少させた後一定時間最小デューティ比を保持させる輝度制御ステップを含むことを特徴とするプログラム。
【請求項２０】
前記輝度制御ステップは、前記パルスのデューティ比が一定時間ごとに１次関数で表される値を取るように制御することを特徴とする請求項１９記載のプログラム。
【請求項２１】
前記輝度制御ステップは、前記パルスのデューティ比が一定時間ごとに対数関数で表される値を取るように制御することを特徴とする請求項１９記載のプログラム。
【請求項２２】
前記輝度制御ステップは、前記パルスのデューティ比が一定時間ごとに２次関数で表される値を取るように制御することを特徴とする請求項１９記載のプログラム。
【請求項２３】
前記輝度制御ステップは、前記パルスのデューティ比を段階的に増加させた後一定時間最大デューティ比を保持させ、次に前記パルスのデューティ比を元に戻すという処理を繰り返し、
あるいは、前記パルスのデューティ比を段階的に減少させた後一定時間最小デューティ比を保持させ、次に前記パルスのデューティ比を元に戻すという処理を繰り返すことを特徴とする請求項１９から２２いずれかに記載のプログラム。
【請求項２４】
前記輝度制御ステップは、前記パルスのデューティ比を一定時間間隔ごとに増加させる制御と、前記パルスのデューティ比を一定時間間隔ごとに減少させる制御とを任意の順序で繰り返して行うことを特徴とする請求項１９から２２いずれかに記載のプログラム。
【請求項２５】
前記ＬＥＤは異なる単色光を発光する複数のダイオードを組み合わせて構成され、その各々のダイオードに対し前記輝度の制御が行われることを特徴とする請求項１９から２４いずれかに記載のプログラム。
【請求項２６】
前記輝度制御ステップはＰＷＭを用いて輝度を制御することを特徴とする請求項１９から２５いずれかに記載のプログラム。
【請求項２７】
携帯端末機あるいはその他の電気機器に用いられることを特徴とする請求項１９から２６いずれかに記載のプログラム。
【発明の詳細な説明】
【０００１】
【発明の属する技術分野】
本発明は、ＬＥＤ（light emitting diode: 発光ダイオード）表示装置及びその点灯方法並びにプログラムに関し、特に携帯端末機等に搭載されたＬＥＤをＰＷＭ(pulse width modulation)制御を用いて徐々に点灯させたり( 以下、フェードインと呼ぶ) 、消灯させたり (以下、フェードアウトと呼ぶ) することが可能なＬＥＤ表示装置及びその点灯方法並びにプログラムに関する。
【０００２】
【従来の技術】
図１３は従来のＬＥＤ表示装置の一例の構成図である。図１３を参照すると、ＬＥＤ表示装置は、例えば、ＣＰＵ（central processing unit ）５１と、コンデンサＲ５２、Ｇ５３，Ｂ５４と、ＬＥＤＲ５５、Ｇ５６、Ｂ５７とを含んで構成されていた。ＬＥＤＲ５５、Ｇ５６、Ｂ５７は夫々赤色（Ｒ）、緑色（Ｇ）、青色（Ｂ）を発光するダイオードである。その各々の陽極と接地間にコンデンサＲ５２、Ｇ５３，Ｂ５４が接続されている。又、各々の陰極は接地されている。
【０００３】
従来のＬＥＤ表示装置は、フェードイン動作、フェードアウト動作を実現するために、ＰＷＭ制御を用いず、図１３に示すようなＣＰＵ５１からのポート制御（ＯＮとＯＦＦの制御）とＬＥＤＲ５５、ＬＥＤＧ５６、ＬＥＤＢ５７へ供給される電源ラインにコンデンサＲ５２、コンデンサＧ５３、コンデンサＢ５４を配置することで実現していた。
【０００４】
即ち、これらコンデンサＲ５２、Ｇ５３、Ｂ５４への充電時にＬＥＤＲ５５、Ｇ５６、Ｂ５７へのフェードイン動作が行われ、放電時にフェードアウト動作が行われていた。なお、この従来技術は文献公知ではない。
【０００５】
又、この種の従来技術の他の例として、プロセスの状態量を測定し、その測定量を電気的出力として２線式伝送路に送出するフィールド発信器において、表示灯と、上記電気的出力に対応した周期又は幅のパルス信号により上記表示灯を点滅させる制御手段とを備えた出力表示装置が開示され（たとえば、特許文献１参照）、複数のＬＥＤをコントローラにより点灯させて各種情報を表示させる表示装置において、ＰＷＭユニットからの出力パルスによって各ＬＥＤをパルス点灯させ、そのパルスのデューティ比をキースイッチにより設定した値に応じて制御し、ＬＥＤの発光輝度を調整する技術が開示されている（たとえば、特許文献２参照）。
【０００６】
特許文献１記載の技術はプロセスの状態量に応じて発光ダイオードの輝度を変化させるものであり、プロセスの状態量が連続的に変化する場合は発光ダイオードの輝度が視覚上連続的に変化（即ち、フェードイン及びフェードアウト）するのであるが、発光ダイオードのフェードイン及びフェードアウト動作を目的に構成されたものではなく、目的が全く相違する。即ち、特許文献１にはフェードイン後、発光ダイオードの輝度を一定時間保持する機能及びフェードアウト後、発光ダイオードの輝度を一定時間保持する機能は全く記載されていない。
【０００７】
一方、特許文献２記載の技術はＰＷＭを用いて発光ダイオードの輝度を制御するものであるが、フェードイン及びフェードアウト動作については全く記載されていない。
【０００８】
【特許文献１】
特開昭６２−２４７２７０号公報（第2 頁、第２図）
【０００９】
【特許文献２】
特開平０６−０７７５３４号公報（段落００１６，００１７、図１）
【００１０】
【発明が解決しようとする課題】
しかし、図１３の従来のＬＥＤ表示装置には、次のような問題点があった。
【００１１】
第１の問題点は、フェードイン動作やフェードアウト動作を調整することができないということである。
【００１２】
その理由は、ＬＥＤＲ５５、ＬＥＤＧ５６、ＬＥＤＢ５７へ供給される電源のドライブ能力とコンデンサＲ５２、コンデンサＧ５３、コンデンサＢ５４の容量に依存しているためである。
【００１３】
第２の問題点は、常にフェードイン動作とフェードアウト動作しかできないということである。
【００１４】
その理由は、第１の問題点と同様である。
【００１５】
そこで本発明の目的は、フェードイン及びフェードアウト動作が可能で、しかもフェードイン及びフェードアウトの周期時間の設定や種々の点灯パタンの設定が可能なＬＥＤ表示装置及びその点灯方法並びにプログラムを提供することにある。
【００１６】
【課題を解決するための手段】
本発明によるＬＥＤ表示装置は、一定繰り返し周期のパルスを用いてＬＥＤを駆動するＬＥＤ表示装置であって、
前記パルスのデューティ比を段階的に増加させた後一定時間最大デューティ比を保持させ、あるいは前記パルスのデューティ比を段階的に減少させた後一定時間最小デューティ比を保持させる輝度制御手段を含むことを特徴とする。
【００１７】
又、本発明によるＬＥＤ点灯方法は、一定繰り返し周期のパルスを用いてＬＥＤを駆動するＬＥＤ表示装置に用いられるＬＥＤ点灯方法であって、
前記パルスのデューティ比を段階的に増加させた後一定時間最大デューティ比を保持させ、あるいは前記パルスのデューティ比を段階的に減少させた後一定時間最小デューティ比を保持させる輝度制御ステップを含むことを特徴とする。
【００１８】
又、本発明によるプログラムは、一定繰り返し周期のパルスを用いてＬＥＤを駆動するＬＥＤ表示装置に用いられるＬＥＤ点灯方法をコンピュータに実行させるためのプログラムであって、
前記パルスのデューティ比を段階的に増加させた後一定時間最大デューティ比を保持させ、あるいは前記パルスのデューティ比を段階的に減少させた後一定時間最小デューティ比を保持させる輝度制御ステップを含むことを特徴とする。
【００１９】
すなわち、本発明は、上記構成を有することにより、フェードイン及びフェードアウト動作が可能で、しかもフェードイン及びフェードアウトの周期時間の設定や種々の点灯パタンの設定が可能となる。
【００２０】
【発明の実施の形態】
次に、本発明の実施例について図面を参照して説明する。まず、第１実施例について説明する。図１及び図２は本発明に係るＬＥＤ表示装置を搭載した携帯端末機の一例の構成図である。図１は携帯端末機の正面図、図２は同背面図である。
【００２１】
図１及び図２を参照すると、携帯端末機１の正面上部に発光ダイオードＲＧＢＬＥＤ２が、背面上部に発光ダイオードＲＧＢＬＥＤ３が夫々設けられている。その他、アンテナ４、キーボード５等が設けられているが、これらは従来の携帯端末機と同様であるため、その説明を省略する。
【００２２】
ＲＧＢＬＥＤ２，３は携帯端末機１等で電話の着信、メール受信の通知や充電中、通話中を示す表示等に用いられる。
【００２３】
次に、ＲＧＢＬＥＤ２，３を点灯するための回路構成について説明する。図３は、本発明に係るＬＥＤ表示装置の一例の構成図である。同図を参照すると、ＬＥＤ表示装置はＣＰＵ１１と、ＰＷＭ制御ＩＣ（integrated circuit）１２と、ＬＥＤＲ（赤色発光ダイオード）１３と、ＬＥＤＧ（緑色発光ダイオード）１４と、ＬＥＤＢ（青色発光ダイオード）１５と、記録媒体１６とを含んで構成される。
【００２４】
ＣＰＵ１１はＰＷＭ制御ＩＣ１２と、記録媒体１６とに接続され、ＰＷＭ制御ＩＣ１２はＬＥＤＲ１３、ＬＥＤＧ１４、ＬＥＤＢ１５の陽極と接続されている。ＬＥＤＲ１３、ＬＥＤＧ１４、ＬＥＤＢ１５の陰極は接地されている。
【００２５】
これら３個の発光ダイオードＬＥＤＲ１３、ＬＥＤＧ１４、ＬＥＤＢ１５で上述した１個の発光ダイオードＲＧＢＬＥＤ２あるいはＲＧＢＬＥＤ３が形成される。なお、ＬＥＤＲ１３、ＬＥＤＧ１４、ＬＥＤＢ１５はそれぞれ独立に点灯、消灯が可能である。
【００２６】
ＣＰＵ１１は、ＰＷＭ制御ＩＣ１２を直接制御する。ＰＷＭ制御ＩＣ１２は、ＣＰＵ１１からの制御信号に応じて、ＬＥＤＲ１３、ＬＥＤＧ１４、ＬＥＤＢ１５を独立にＰＷＭ制御することが可能である。なお、記録媒体１６については後述する。
【００２７】
次に、ＬＥＤ表示装置全体の動作について説明する。図４はＬＥＤ輝度の動作を示す図、図５はＰＷＭ制御動作を示す図である。
【００２８】
まず、説明の中で使用するパラメータについて説明する。図４に示すようにパタン１、パタン２、パタン３、パタン４のパタン１つ当たりの時間をＴと定義する。又、図５に示すようにＰＷＭ制御ＩＣ１２で制御可能なデューティ比（duty）設定のステップ数を０からＤ（Ｄは正の整数）と定義する。
【００２９】
ＰＷＭ制御でデューティ比が０％のときのステップ数は０となり、１００％のときのステップ数はＤとなる。例えば、Ｄ＝１００である場合、デューティ比は１％刻みで設定可能ということになる。
【００３０】
図６〜図９は各パタン区間におけるデューティ比と時間との関係を示す図である。図６はパタン１の区間、図７はパタン２の区間、図８はパタン３の区間、図９はパタン４の区間を夫々示している。
【００３１】
図６〜図９に示すように時間Ｔを均等に分割したときの分割数をＶ（Ｖは正の整数）と定義すると、分割した１つの時間はＴ／Ｖとなる。
【００３２】
例えば、Ｔ＝５００ミリ秒、Ｖ＝５０とした場合、Ｔ／Ｖ＝１０ミリ秒となり、Ｄ＝１００ステップとした場合、Ｄ／Ｖ＝２ステップとなる。
【００３３】
まず、図４の動作例に沿って動作を説明する。図４の動作例は、図３で示したＬＥＤで任意の１つの動作を示す。
【００３４】
パタン１の区間（図６参照）では、時間Ｔの間、任意のＬＥＤのデューティ比を０％とし、消灯状態を保持している。
【００３５】
パタン２の区間（図７参照）では、時間Ｔをかけて任意のＬＥＤの輝度を徐々に明るくする動作としている（パタン２のように任意のＬＥＤの輝度を徐々に明るくする動作のことをフェードイン動作と呼ぶ）。
【００３６】
パタン３の区間（図８参照）では、時間Ｔの間、任意のＬＥＤのデューティ比を１００％とし、最も明るいレベルでの点灯状態を保持している。
【００３７】
パタン４の区間（図９参照）では、時間Ｔをかけて任意のＬＥＤの輝度を徐々に暗くする動作としている（パタン４のように任意のＬＥＤの輝度を徐々に暗くする動作のことをフェードアウト動作と呼ぶ）。
【００３８】
以降、パタン１（消灯）→パタン２（フェードイン）→パタン３（点灯）→パタン４  （フェードアウト）→パタン１（消灯）→・・・と繰り返す動作を示している（図４参照）。
【００３９】
さらに、パタン１、パタン２、パタン３、パタン４の動作詳細を図６〜図９を用いて説明する。
【００４０】
パタン１の区間では、図６に示すように、時間Ｔ／ＶごとにＰＷＭ制御のステップ数に０を設定している。
【００４１】
パタン２の区間では、図７に示すように、時間Ｔ／ＶごとにＤ／ＶずつＰＷＭ制御のステップ数を増やしていき、時間Ｔ経過時にＰＷＭ制御のステップ数がＤとなる。
【００４２】
パタン３の区間では、図８に示すように、時間Ｔ／ＶごとにＰＷＭ制御のステップ数にＤを設定している。
【００４３】
パタン４の区間では、図９に示すように、時間Ｔ／ＶごとにＤ／ＶずつＰＷＭ制御のステップ数を減らしていき、時間Ｔ経過時にはＰＷＭ制御のステップ数が０となる。
【００４４】
ここで、上記で示したパタン１、パタン２、パタン３、パタン４の動作は全て１次関数で表すことができる。経過時間をｘ（０〜Ｖの整数）、ＰＷＭ制御で設定するステップ数をｙ（０〜Ｄの整数）と定義すると、
パタン１は、
ｙ＝０ｘ＋０
パタン２は、
ｙ＝（Ｄ／Ｖ）ｘ＋０
パタン３は、
ｙ＝０ｘ＋Ｄ
パタン４は、
ｙ＝−（Ｄ／Ｖ）ｘ＋Ｄ
と表すことができる。
【００４５】
このように、各パタンを１次関数の式で表現し、この１次関数の式に沿ってＰＷＭ制御を行っている。
【００４６】
以上説明したように、第１実施例の第１の効果は、ＬＥＤの点灯、消灯に図４に示すようにパタン２のフェードイン動作やパタン４のフェードアウト動作ができることにある。
【００４７】
その理由は、ＰＷＭ制御を図６〜図９に示したＶステップの時分割とすることで、人間の目ではわからない程度のなめらかさで輝度を変更できるためである。
【００４８】
第２の効果は、第１の効果で示したフェードイン動作やフェードアウト動作の時間を自由に変更できることにある。
【００４９】
その理由は、図４に示した時間Ｔを変更することで、フェードイン動作やフェードアウト動作の時間を変更できるようにしているためである。
【００５０】
次に、第２実施例について説明する。図１０及び図１１は第２実施例の動作を示すデューティ比対時間特性図である。図１０で示すように、図４で示したパタンの組み合わせを変更することで、フェードイン動作だけは行うが、フェードアウト動作は行わないようにしたり、フェードアウト動作だけは行うが、フェードイン動作は行わないようにしたりすることを可能としている。
【００５１】
即ち、図１０のＲを参照すると、ＬＥＤＲ１３についてはフェードイン動作とフェードアウト動作とが交互に繰り返されるが、同図のＧを参照すると、ＬＥＤＧ１４についてはフェードアウト動作は行われるがフェードイン動作は行われない。一方、同図のＢを参照すると、ＬＥＤＢ１５についてはフェードイン動作は行われるがフェードアウト動作は行われない。
【００５２】
さらに、フェードイン動作とフェードアウト動作を用いたグラデーション動作も可能としている。図１１に示すグラデーション動作は、赤（Ｒ）→黄（ＲとＧ）→緑（Ｇ）→水色（ＧＢ）→青（Ｂ）→紫（ＲＢ）→赤（Ｒ）→・・・を繰り返す動作を示している。
【００５３】
次に、第３実施例について説明する。図１２は第３実施例の動作を示すデューティ比対時間特性図である。
【００５４】
図７で示したパタン２を１次関数の式で表すと、
ｙ＝（Ｄ／Ｖ）ｘ＋０
であったが、このパタン２の式を変更することで、異なる種類のフェードイン動作も実現可能である。
【００５５】
例えば、図１２に示すように、パタン２を対数関数の式
ｙ＝ｌｏｇ10（１０ｘ／Ｖ）D  ＋０
で表すことも可能である。
【００５６】
さらにパタン２を２次関数の式
ｙ＝（Ｄ／Ｖ2  ）ｘ2  ＋０
で表すことも可能である。
【００５７】
なお、図９で示したパタン４の１次関数の式も同様に対数関数の式あるいは２次関数の式に変更可能であることは明白である。
【００５８】
このようにパタンごとに与える式を変更することで、フェードイン動作やフェードアウト動作を変更することも可能である。
【００５９】
次に、第４実施例について説明する。図４で示した動作例ではパタンを４通りとしたが、このパタンをさらに増やすことや、減らすことも可能である。
【００６０】
次に、第５実施例について説明する。図４で示した動作例では、パタン１→パタン２→パタン３→パタン４→パタン１→・・・と繰り返す動作としているが、例えば、パタン１→パタン２→パタン３→パタン４→パタン３→パタン４→パタン３→・・・のように、繰り返しのポイントを変更することも可能である。
【００６１】
次に、第６実施例について説明する。第６実施例はＬＥＤ点灯方法のプログラムに関するものである。図３に示すように、本発明に係るＬＥＤ表示装置は記録媒体１６を有している。この記録媒体１６にはＬＥＤＲ１３，ＬＥＤＧ１４，ＬＥＤＢ１５の点灯制御をＣＰＵ１１に実行させるためのプログラムが格納されている。
【００６２】
即ち、そのプログラムは第１実施例で示した１次関数の式、第３実施例で示した対数関数の式及び２次関数の式をプログラム言語で表示したものである。さらに、第２、第４、第５実施例で示したパタンの組み合わせの変更、パタン数の増減、パタンの繰り返しポイントの変更をプログラム言語で表示したものも含まれる。
【００６３】
ＣＰＵ１１は記録媒体１６からそのプログラムを読み出し、図示しないメモリに格納する。ＣＰＵ１１はメモリから読み出したプログラムに従ってＰＷＭ制御ＩＣ１２を制御する。その制御内容は第１〜第５実施例で述べたとおりである。
【００６４】
なお、上記実施例では携帯端末機を一例に取り上げたが、これに限定するものではなく、他のＬＥＤ表示を有する電気機器、例えば、パーソナルコンピュータや有線通信機器等に採用することも可能である。
【００６５】
【発明の効果】
以上説明したように本発明によるＬＥＤ表示装置は、一定繰り返し周期のパルスを用いてＬＥＤを駆動するＬＥＤ表示装置であって、その装置は前記パルスのデューティ比を段階的に増加させた後一定時間最大デューティ比を保持させ、あるいは前記パルスのデューティ比を段階的に減少させた後一定時間最小デューティ比を保持させる輝度制御手段を含むため、フェードイン及びフェードアウト動作が可能で、しかもフェードイン及びフェードアウトの周期時間の設定や種々の点灯パタンの設定が可能となる。
【図面の簡単な説明】
【図１】本発明に係るＬＥＤ表示装置を搭載した携帯端末機の一例の構成図である。
【図２】本発明に係るＬＥＤ表示装置を搭載した携帯端末機の一例の構成図である。
【図３】本発明に係るＬＥＤ表示装置の一例の構成図である。
【図４】ＬＥＤ輝度の動作を示す図である。
【図５】ＰＷＭ制御動作を示す図である。
【図６】各パタン区間におけるデューティ比と時間との関係を示す図である。
【図７】各パタン区間におけるデューティ比と時間との関係を示す図である。
【図８】各パタン区間におけるデューティ比と時間との関係を示す図である。
【図９】各パタン区間におけるデューティ比と時間との関係を示す図である。
【図１０】第２実施例の動作を示すデューティ比対時間特性図である。
【図１１】第２実施例の動作を示すデューティ比対時間特性図である。
【図１２】第３実施例の動作を示すデューティ比対時間特性図である。
【図１３】従来のＬＥＤ表示装置の一例の構成図である。
【符号の説明】
１  携帯端末機
２  発光ダイオードＲＧＢＬＥＤ
３  発光ダイオードＲＧＢＬＥＤ
４  アンテナ
５  キーボード
１１  ＣＰＵ
１２  ＰＷＭ制御ＩＣ
１３  ＬＥＤＲ
１４  ＬＥＤＧ
１５  ＬＥＤＢ
１６  記録媒体
【図１】
2004207411.tif 000003
【図２】
2004207411.tif 000004
【図３】
2004207411.tif 000005
【図４】
2004207411.tif 000006
【図５】
2004207411.tif 000007
【図６】
2004207411.tif 000008
【図７】
2004207411.tif 000009
【図８】
2004207411.tif 000010
【図９】
2004207411.tif 000011
【図１０】
2004207411.tif 000012
【図１１】
2004207411.tif 000013
【図１２】
2004207411.tif 000014
【図１３】
2004207411.tif 000015